(57)【特許請求の範囲】
【請求項１】
テレビジョン放送信号の受信に際して指向性の切り替えが可能な多指向性アンテナを有する多指向性アンテナ装置を接続可能に構成されたテレビジョン受信機において、
前記多指向性アンテナへ電源を供給するか否かの制御を行う電源供給制御手段と、
前記多指向性アンテナ装置を接続するコネクタと、
前記コネクタに前記多指向性アンテナ装置が接続されたか否かを判断する判断手段と、
前記判断手段により、前記コネクタに前記多指向性アンテナ装置が接続されたと判断された場合に、前記多指向性アンテナ装置に前記多指向性アンテナの指向性を切り替えさせる切替制御手段と、
を備え、
前記判断手段は、
前記コネクタが有する所定のピンに所定の電圧を印加する電圧印加手段と、
前記所定のピンの電圧値を検出する検出手段と、を備え、
前記所定のピンは、前記コネクタに前記多指向性アンテナ装置が接続された場合に、電圧値がグランドレベルとなるように構成され、
前記判断手段は、前記検出手段によりグランドレベルの電圧値が検出された場合に、前記コネクタに前記多指向性アンテナ装置が接続されたと判断し、
前記電源供給制御手段は、前記多指向性アンテナ装置が接続されていないときは、前記多指向性アンテナ装置へ電源を供給しない制御を行うことを特徴とするテレビジョン受信機。
【発明の詳細な説明】
【技術分野】
【０００１】
本発明は、テレビジョン受信機に関する。
【背景技術】
【０００２】
従来、テレビジョン放送信号（以下、「ＴＶ放送信号」という）の受信に際して指向性を切り替えることができる多指向性アンテナ（通称、「スマートアンテナ」）を有する多指向性アンテナ装置が接続されたテレビジョン受信機が知られている（例えば、特許文献１参照）。
具体的には、例えば、テレビジョン受信機は、視聴者により所望のチャンネルが指定されると、EIA/CEA-909等の所定の規格に基づいて多指向性アンテナ装置を制御するようになっており、多指向性アンテナ装置は、当該制御に従って、多指向性アンテナの指向性を全方向（例えば、１６方向）に順次切り替えさせるようになっている。
すなわち、多指向性アンテナ対応型のテレビジョン受信機は、視聴者所望のチャンネルが指定される度に、多指向性アンテナの指向性を全方向に切り替えさせ、ＴＶ放送信号の受信状態を確認するようになっている。
【０００３】
ところで、多指向性アンテナ対応型のテレビジョン受信機には、多指向性アンテナ以外のアンテナ（例えば、八木アンテナなど）も接続可能なものがある。このようなテレビジョン受信機は、多指向性アンテナが接続されておらず、多指向性アンテナ以外のアンテナが接続されている場合であっても、視聴者所望のチャンネルが指定される度に、多指向性アンテナ装置を制御するための制御信号を出力する処理を行うようになっている。しかしながら、多指向性アンテナが接続されていない場合、この処理は無駄な処理である。
【０００４】
そこで、例えば、多指向性アンテナが接続されたことを検出した場合（例えば、特許文献２参照）や、多指向性アンテナが接続されているとユーザに選択された場合（例えば、特許文献３参照）、付属のアンテナから出力される所定の信号に基づいてその付属のアンテナが接続されたことを検出した場合（例えば、特許文献４参照）に、制御信号を出力する手法が考えられる。
【特許文献１】特開２００５−３１８１４３号公報
【特許文献２】特開２００５−３１８１４１号公報
【特許文献３】特開２００６−２５１９８号公報
【特許文献４】特開平６−３３４９３１号公報
【発明の開示】
【発明が解決しようとする課題】
【０００５】
しかしながら、特許文献２には、多指向性アンテナが接続されたことを検出するための具体的な方法が記載されていない。
特許文献３の手法は、ユーザにとって煩わしいという問題がある。
特許文献４の手法は、テレビジョン受信機に付属するアンテナにしか適用できないという問題がある。また、この手法を付属のアンテナ以外のアンテナに適用するためには、付属のアンテナ以外のアンテナを有するアンテナ装置を、テレビジョン受信機に所定の信号を出力できるよう構成する必要がある。
【０００６】
本発明の課題は、多指向性アンテナを有する多指向性アンテナ装置の構成を変えることなく、多指向性アンテナ装置が接続されているか否かを検出することができるテレビジョン受信機を提供することにある。
【課題を解決するための手段】
【０００７】
上記課題を解決するために、請求項１に記載の発明は、
テレビジョン放送信号の受信に際して指向性の切り替えが可能な多指向性アンテナを有する多指向性アンテナ装置を接続可能に構成されたテレビジョン受信機において、
前記多指向性アンテナへ電源を供給するか否かの制御を行う電源供給制御手段と、
前記多指向性アンテナ装置を接続するコネクタと、
前記コネクタに前記多指向性アンテナ装置が接続されたか否かを判断する判断手段と、
前記判断手段により、前記コネクタに前記多指向性アンテナ装置が接続されたと判断された場合に、前記多指向性アンテナ装置に前記多指向性アンテナの指向性を切り替えさせる切替制御手段と、
を備え、
前記判断手段は、
前記コネクタが有する所定のピンに所定の電圧を印加する電圧印加手段と、
前記所定のピンの電圧値を検出する検出手段と、を備え、
前記所定のピンは、前記コネクタに前記多指向性アンテナ装置が接続された場合に、電圧値がグランドレベルとなるように構成され、
前記判断手段は、前記検出手段によりグランドレベルの電圧値が検出された場合に、前記コネクタに前記多指向性アンテナ装置が接続されたと判断し、
前記電源供給制御手段は、前記多指向性アンテナ装置が接続されていないときは、前記多指向性アンテナ装置へ電源を供給しない制御を行うことを特徴とする。
【発明の効果】
【０００８】
本発明によれば、テレビジョン放送信号の受信に際して指向性の切り替えが可能な多指向性アンテナを有する多指向性アンテナ装置を接続可能に構成されたテレビジョン受信機において、前記多指向性アンテナへ電源を供給するか否かの制御を行う電源供給制御手段と、多指向性アンテナ装置を接続するコネクタと、コネクタに多指向性アンテナ装置が接続されたか否かを判断する判断手段と、判断手段により、コネクタに多指向性アンテナ装置が接続されたと判断された場合に、多指向性アンテナ装置に多指向性アンテナの指向性を切り替えさせる切替制御手段と、を備え、判断手段は、コネクタが有する所定のピンに所定の電圧を印加する電圧印加手段と、所定のピンの電圧値を検出する検出手段と、を備えている。そして、所定のピンは、コネクタに多指向性アンテナ装置が接続された場合に、電圧値がグランドレベルとなるように構成され、判断手段は、検出手段によりグランドレベルの電圧値が検出された場合に、コネクタに多指向性アンテナ装置が接続されたと判断し、前記電源供給制御手段は、前記多指向性アンテナ装置が接続されていないときは、前記多指向性アンテナ装置へ電源を供給しない制御を行うようになっている。
したがって、所定のピンに所定の電圧を印加してその所定のピンの電圧値を検出するだけで、テレビジョン受信機に多指向性アンテナ装置が接続されたか否かを検出することができるため、多指向性アンテナを有する多指向性アンテナ装置の構成を変えることなく、多指向性アンテナ装置が接続されているか否かを検出することができる。
また、多指向性アンテナ装置が接続されていないときは、テレビジョン受信機から多指向性アンテナ装置への電源の供給は停止されるため、ショートによる事故を防止することができる。
【発明を実施するための最良の形態】
【０００９】
以下、図を参照して、本発明にかかるテレビジョン受信機の最良の形態を詳細に説明する。なお、発明の範囲は、図示例に限定されない。
【００１０】
＜テレビジョン受信機の構成＞
まず、テレビジョン受信機１の構成について、図１及び図２を参照して説明する。
テレビジョン受信機１は、例えば、多指向性アンテナとしてのスマートアンテナ３４を有する多指向性アンテナ装置としてのスマートアンテナ装置３や、スマートアンテナ３４以外のアンテナ（例えば、八木アンテナなど）を有するアンテナ装置（例えば、八木アンテナ装置など）などを接続可能に構成されているとともに、出力装置５を接続している。テレビジョン受信機１は、接続されたアンテナ装置（スマートアンテナ装置３や八木アンテナ装置など）を制御するとともに、スマートアンテナ３４や八木アンテナなどにより受信されたＴＶ放送信号に基づく映像及び音声を出力装置５に出力させるようになっている。
図１に示すテレビジョン受信機１においては、スマートアンテナ装置３のみを接続しているが、テレビジョン受信機１は、八木アンテナ装置等のスマートアンテナ３４以外のアンテナを有するアンテナ装置のみを接続していても良いし、スマートアンテナ装置３とスマートアンテナ３４以外のアンテナを有するアンテナ装置との双方を接続していても良い。
【００１１】
（スマートアンテナ装置）
スマートアンテナ装置３は、例えば、テレビジョン受信機１と所定の通信方式（例えば、EIA/CEA-909など）に基づいた通信を行って、スマートアンテナ装置３を制御するためのスマートアンテナ制御信号をテレビジョン受信機１から受信する。また、スマートアンテナ装置３は、例えば、スマートアンテナ３４により受信されたＴＶ放送信号をテレビジョン受信機１に送信する。
スマートアンテナ装置３は、既存のスマートアンテナ装置と略同一の構成を有しており、具体的には、例えば、第１コネクタ３１と、第２コネクタ３２と、アンテナコントローラ３３と、スマートアンテナ３４と、などを備えて構成される。
【００１２】
第１コネクタ３１は、例えば、テレビジョン受信機１のスマートアンテナ用第１コネクタ１１とケーブルを介して接続可能に構成されている。第１コネクタ３１には、例えば、スマートアンテナ装置３用の電源や、スマートアンテナ制御信号、所定の電圧などが、スマートアンテナ用第１コネクタ１１から入力されるようになっている。
具体的には、例えば、図２に示すように、第１コネクタ３１は、６つの接続ピン（第１接続ピン３１１、第２接続ピン３１２、第３接続ピン３１３、第４接続ピン３１４、第５接続ピン３１５及び第６接続ピン３１６）を有している。第１コネクタ３１がスマートアンテナ用第１コネクタ１１と接続すると、第１接続ピン３１１、第２接続ピン３１２、第３接続ピン３１３、第４接続ピン３１４、第５接続ピン３１５及び第６接続ピン３１６はそれぞれ、スマートアンテナ用第１コネクタ１１の第１ピン１１１、第２ピン１１２、第３ピン１１３、第４ピン１１４、第５ピン１１５及び第６ピン１１６と接続するようになっている。
【００１３】
図２に示すように、例えば、第２接続ピン３１２及び第５接続ピン３１５は、アンテナコントローラ３３に接続されており、例えば、第２接続ピン３１２及び第５接続ピン３１５以外の接続ピン（第１接続ピン３１１、第３接続ピン３１３、第４接続ピン３１４及び第６接続ピン３１６）は、グランド３５に接続されている。
例えば、第２接続ピン３１２には、第２ピン１１２を介してテレビジョン受信機１からスマートアンテナ装置３用の電源が入力されるようになっており、第１コネクタ３１は、この入力された電源をアンテナコントローラ３３に出力するようになっている。このアンテナコントローラ３３に入力された電源によって、スマートアンテナ装置３の各部は動作するようになっている。
例えば、第３接続ピン３１３には、第３ピン１１３を介してテレビジョン受信機１から所定の電圧が入力（印加）されるようになっており、そして、この入力された所定の電圧は、グランド３５に入力されるようになっている。
例えば、第５接続ピン３１５には、第５ピン１１５を介してテレビジョン受信機１からスマートアンテナ制御信号が入力されるようになっており、第１コネクタ３１は、この入力された信号をアンテナコントローラ３３に出力するようになっている。
【００１４】
第２コネクタ３２は、例えば、テレビジョン受信機１のスマートアンテナ用第２コネクタ１２とケーブルを介して接続可能に構成されている。第２コネクタ３２は、例えば、アンテナコントローラ３３から入力された、スマートアンテナ３４により受信されたＴＶ放送信号を、スマートアンテナ用第２コネクタ１２に出力するようになっている。
【００１５】
アンテナコントローラ３３は、例えば、第５接続ピン３１５を介してテレビジョン受信機１から入力されたスマートアンテナ制御信号に従って、スマートアンテナ３４などを制御するようになっている。また、アンテナコントローラ３３は、例えば、スマートアンテナ３４により受信されたＴＶ放送信号を、第２コネクタ３２を介してテレビジョン受信機１に出力するようになっている。
具体的には、アンテナコントローラ３３は、例えば、制御部３３１と、切替部３３２と、などを備えて構成される。
【００１６】
制御部３３１は、例えば、ＣＰＵ（Central Processing Unit）３３１１と、ＲＡＭ（Random Access Memory）３３１２と、記憶部３３１３と、などを備えて構成される。
【００１７】
ＣＰＵ３３１１は、例えば、記憶部３３１３に記憶されたアンテナコントローラ３３用の各種処理プログラムに従って各種の制御動作を行う。
【００１８】
ＲＡＭ３３１２は、例えば、ＣＰＵ３３１１によって実行される処理プログラム等を展開するためのプログラム格納領域や、入力データや上記処理プログラムが実行される際に生じる処理結果等を格納するデータ格納領域などを備えている。
【００１９】
記憶部３３１３は、例えば、アンテナコントローラ３３で実行可能なシステムプログラム、当該システムプログラムで実行可能な各種処理プログラム、これら各種処理プログラムを実行する際に使用されるデータ、ＣＰＵ３３１１によって演算処理された処理結果のデータなどを記憶する。なお、プログラムは、コンピュータが読み取り可能なプログラムコードの形で記憶部３３１３に記憶されている。
具体的には、記憶部３３１３には、例えば、切替プログラム３３１３ａなどが記憶されている。
【００２０】
切替プログラム３３１３ａは、例えば、テレビジョン受信機１から入力されたスマートアンテナ３４の指向性を切り替えるためのスマートアンテナ制御信号に従って切替部３３２を制御して、切替部３３２に、スマートアンテナ３４の指向性を切り替えさせる機能を、ＣＰＵ３３１１に実現させる。
具体的には、スマートアンテナ３４の指向性を切り替えるためのスマートアンテナ制御信号には、例えば、図３に示すような、スマートアンテナ３４の指向性の方向（例えば、１６方向）のそれぞれに割り当てられた番号（例えば、「０」〜「１５」）などが含まれている。
【００２１】
切替部３３２は、例えば、制御部３３１から入力される制御信号に従って、スマートアンテナ３４の指向性を切り替える。
【００２２】
スマートアンテナ３４は、例えば、ＴＶ放送信号の受信に際して指向性の切り替えが可能なアンテナである。
すなわち、スマートアンテナ３４は、例えば、複数の指向性の方向（例えば、１６方向）を有し、切替部３３２により当該複数の方向のうちの一方向に指向性が切り替えられると、当該一方向からのＴＶ放送信号に、他方向からのＴＶ放送信号よりも大きな感度を示すようになっている。
【００２３】
具体的には、スマートアンテナ３４は、例えば、切替部３３２により一方向に指向性が切り替えられると、当該一方向からのＴＶ放送信号を受信して、アンテナコントローラ３３及び第２コネクタ３２を介して、テレビジョン受信機１に出力するようになっている。
【００２４】
（出力装置）
出力装置５は、例えば、図１に示すように、映像出力部５１と、音声出力部５２と、などを備えて構成される。
【００２５】
映像出力部５１は、例えば、液晶表示機器等であり、例えば、テレビジョン受信機１のデコーダ１６から入力された映像データに基づく映像を出力する。
【００２６】
音声出力部５２は、例えば、スピーカ機器等であり、例えば、テレビジョン受信機１のデコーダ１６から入力された音声データに基づく音声を出力する。
【００２７】
（テレビジョン受信機）
テレビジョン受信機１は、例えば、図１及び図２に示すように、コネクタとしてのスマートアンテナ用第１コネクタ１１と、スマートアンテナ用第２コネクタ１２と、八木アンテナ用コネクタ１３と、チューナ１４と、フロントエンド（Ｆ／Ｅ）１５と、デコーダ１６と、電源供給部１７と、電圧印加部２０と、操作部２３と、制御部２４と、などを備えて構成される。
【００２８】
スマートアンテナ用第１コネクタ１１は、例えば、スマートアンテナ装置３の第１コネクタ３１とケーブルを介して接続可能に構成されている。スマートアンテナ用第１コネクタ１１は、例えば、スマートアンテナ装置３用の電源や、スマートアンテナ制御信号、所定の電圧などを、第１コネクタ３１に出力するようになっている。
具体的には、例えば、図２に示すように、スマートアンテナ用第１コネクタ１１は、６つのピン（第１ピン１１１、第２ピン１１２、第３ピン１１３、第４ピン１１４、第５ピン１１５及び第６ピン１１６）を有している。スマートアンテナ用第１コネクタ１１が第１コネクタ３１と接続すると、第１ピン１１１、第２ピン１１２、第３ピン１１３、第４ピン１１４、第５ピン１１５及び第６ピン１１６はそれぞれ、第１コネクタ３１の第１接続ピン３１１、第２接続ピン３１２、第３接続ピン３１３、第４接続ピン３１４、第５接続ピン３１５及び第６接続ピン３１６と接続するようになっている。
【００２９】
図２に示すように、例えば、第２ピン１１２は、制御部２４に接続されているとともにスイッチ１８ａを介して電源供給部１７に接続されており、所定のピンとしての第３ピン１１３は、電圧印加部２０及び制御部２４に接続されており、第５ピン１１５は、Ｆ／Ｅ１５と接続されている。そして、例えば、第２ピン１１２、第３ピン１１３及び第５ピン１１５以外のピン（第１ピン１１１、第４ピン１１４及び第６ピン１１６）は、グランド２５に接続されている。
【００３０】
例えば、第２ピン１１２には、電源供給部１７からスマートアンテナ装置３用の電源が入力されるようになっており、スマートアンテナ用第１コネクタ１１は、この入力された電源をスマートアンテナ装置３に出力するようになっている。
【００３１】
例えば、第３ピン１１３には、電圧印加部２０から所定の電圧が印加されるようになっており、テレビジョン受像機１にスマートアンテナ装置３が接続されて、第３ピン１１３がグランド３５に接続された第３接続ピン３１３に接続された場合、第３ピン１１３に印加された所定の電圧は、グランド３５に入力されるようになっている。すなわち、第３ピン１１３は、スマートアンテナ用第１コネクタ１１にスマートアンテナ装置３が接続された場合に、電圧値がグランドレベルとなるよう構成されている。
【００３２】
例えば、第５ピン１１５には、Ｆ／Ｅ１５からスマートアンテナ制御信号が入力されるようになっており、スマートアンテナ用第１コネクタ１１は、この入力されたスマートアンテナ制御信号をスマートアンテナ装置３に出力するようになっている。
【００３３】
スマートアンテナ用第２コネクタ１２は、例えば、スマートアンテナ装置３の第２コネクタ３２とケーブルを介して接続可能に構成されている。スマートアンテナ用第２コネクタ１２には、例えば、スマートアンテナ３４により受信されたＴＶ放送信号などが、第２コネクタ３２から入力されるようになっている。
【００３４】
八木アンテナ用コネクタ１３は、例えば、八木アンテナを有する八木アンテナ装置のコネクタとケーブルを介して接続可能に構成されている。八木アンテナ用コネクタ１３は、例えば、八木アンテナ装置用の電源や制御信号などを、八木アンテナ装置のコネクタに出力するようになっている。また、八木アンテナ用コネクタ１３には、例えば、八木アンテナにより受信されたＴＶ放送信号などが、八木アンテナ装置のコネクタから入力されるようになっている。
【００３５】
なお、テレビジョン受信機１は、八木アンテナ用コネクタ１３に代えて、スマートアンテナ３４及び八木アンテナ以外のアンテナを有するアンテナ装置と接続可能に構成されたコネクタを備えていても良い。
また、テレビジョン受信機１は、スマートアンテナ用第１コネクタ１１、スマートアンテナ用第２コネクタ１２及び八木アンテナ用コネクタ１３に加えて、スマートアンテナ２３及び八木アンテナ以外のアンテナを有するアンテナ装置と接続可能に構成されたコネクタを備えていても良い。
【００３６】
チューナ１４は、例えば、スマートアンテナ用第２コネクタ１２や八木アンテナ用コネクタ１３と接続されており、例えば、制御部２４によって一のチャンネルが設定されると、スマートアンテナ用第２コネクタ１２や八木アンテナ用コネクタ１３から入力されたＴＶ放送信号を当該設定された一のチャンネルに対応する周波数帯域に同調させることによって、当該設定された一のチャンネルに対応するＴＶ放送信号を受信し、そして、当該受信したＴＶ放送信号（ＩＦ）をＦ／Ｅ１５に出力する。
【００３７】
Ｆ／Ｅ１５は、例えば、制御部２４から入力される制御信号に従って、チューナ１４から入力されたＴＶ放送信号を復調して、当該復調したＴＶ放送信号（ＴＳ）をデコーダ１６に出力する。
また、Ｆ／Ｅ１５は、例えば、制御部２４から入力される制御信号に従って、スマートアンテナ用第１コネクタ１１を介してスマートアンテナ装置３に、スマートアンテナ装置３を制御するためのスマートアンテナ制御信号を出力したり、八木アンテナ用コネクタ１３を介して八木アンテナ装置に、八木アンテナ装置を制御するための制御信号を出力したりする。
【００３８】
デコーダ１６は、例えば、制御部２４から入力される制御信号に従って、Ｆ／Ｅ１５から入力されたＴＶ放送信号をビデオデータやオーディオデータなどに分離する。そして、ビデオデータをデコードして映像データを生成して出力装置５の映像出力部５１に出力するとともに、オーディオデータをデコードして音声データを生成して出力装置５の音声出力部５２に出力する。
【００３９】
電源供給部１７は、例えば、制御部２４から入力される制御信号に従って、スマートアンテナ装置３用の電源をスマートアンテナ用第１コネクタ１１の第２ピン１１２に入力したり、八木アンテナ装置用の電源を八木アンテナ用コネクタ１３に入力したりすることによって、アンテナ装置に対して電源を供給する。電源供給部１７から供給される電源の電圧値は任意であり、例えば、１２Ｖである。
【００４０】
電圧印加部２０は、例えば、電圧印加手段として、所定のピンとしての第３ピン１１３に電圧を印加する。電圧印加部２０により印加される電圧の電圧値は任意であり、例えば、３．３Ｖである。
【００４１】
操作部２３は、例えば、テレビジョン受信機１の外面に設けられた操作ボタンや、テレビジョン受信機１用のリモートコントローラ及び当該リモートコントローラと通信可能なリモコン受信部などから構成されており、例えば、ユーザによって操作されると、当該操作に伴う各種信号を制御部２４に出力する。
具体的には、操作部２３には、例えば、チャンネルアップ／ダウンキーやチャンネル番号キーが設けられており、操作部２３は、例えば、ユーザ（視聴者）が所望のチャンネルを選局する際に使用される。
【００４２】
制御部２４は、例えば、ＣＰＵ２４１と、ＲＡＭ２４２と、記憶部２４３と、などを備えて構成される。
【００４３】
ＣＰＵ２４１は、例えば、記憶部２４３に記憶されたテレビジョン受信機１用の各種処理プログラムに従って各種の制御動作を行う。
【００４４】
ＲＡＭ２４２は、例えば、ＣＰＵ２４１によって実行される処理プログラム等を展開するためのプログラム格納領域や、入力データや上記処理プログラムが実行される際に生じる処理結果等を格納するデータ格納領域などを備えている。
【００４５】
記憶部２４３は、例えば、テレビジョン受信機１で実行可能なシステムプログラム、当該システムプログラムで実行可能な各種処理プログラム、これら各種処理プログラムを実行する際に使用されるデータ、ＣＰＵ２４１によって演算処理された処理結果のデータなどを記憶する。なお、プログラムは、コンピュータが読み取り可能なプログラムコードの形で記憶部２４３に記憶されている。
具体的には、記憶部２４３には、例えば、電源供給制御プログラム２４３ａと、判断プログラム２４３ｂと、切替制御プログラム２４３ｃと、などが記憶されている。
【００４６】
電源供給制御プログラム２４３ａは、例えば、電源供給部１７を制御して、スマートアンテナ装置３に対して、スマートアンテナ装置３を動作させるための電源を供給させる機能を、ＣＰＵ２４１に実現させる。
【００４７】
例えば、制御部２４とスマートアンテナ用第１コネクタ１１の第２ピン１１２とを接続する配線１８にはスイッチ１８ａを介して電源供給部１７が接続されている。スイッチ１８ａがＯＮされると、電源供給部１７と第２ピン１１２とが接続され、スイッチ１８ａがＯＦＦされると、電源供給部１７と第２ピン１１２との接続は切断されるようになっている。
電源供給部１７により供給された電源（電圧）は、スイッチ１８ａがＯＮされており且つ第２ピン１１２が第１コネクタ３１の第２接続ピン３１２に接続されている場合に、制御部２４にも入力されるようになっている。
【００４８】
具体的には、ＣＰＵ２４１は、例えば、テレビジョン受信機１の電源がＯＮされると、スイッチ１８ａをＯＮするためのＯＮ信号をスイッチ１８ａに出力するとともに、電源供給部１７を制御してスマートアンテナ装置３用の電源を出力させる。
そして、ＣＰＵ２４１は、例えば、第２ピン１１２の電圧値を検出する。
このとき、スマートアンテナ用第１コネクタ１１がスマートアンテナ装置３の第１コネクタ３１に接続していると、第２ピン１１２は第２接続ピン３１２と接続されるため、電源供給部１７により供給された電源はアンテナコントローラ３３に入力される。したがって、第２ピン１１２の電圧値はグランドレベルにならず、電源供給部１７により供給された電源（電圧）は制御部２４にも入力される。この場合、ＣＰＵ２４１は、第２ピン１１２の電圧値はグランドレベルでないと検出して、テレビジョン受信機１（スマートアンテナ用第１コネクタ１１）にスマートアンテナ装置３が接続されて、スマートアンテナ用第１コネクタ１１が短絡等していないと判断する。
一方、スマートアンテナ用第１コネクタ１１がスマートアンテナ装置３の第１コネクタ３１と接続せずに短絡等していると、第２ピン１１２はグランドに接続されるため、電源供給部１７により供給された電源（電圧）はグランドに入力される。したがって、第２ピン１１２の電圧値はグランドレベルとなり、電源供給部１７により供給された電源（電圧）は制御部２４には入力されない。この場合、ＣＰＵ２４１は、第２ピン１１２の電圧値はグランドレベルであると検出して、テレビジョン受信機１（スマートアンテナ用第１コネクタ１１）にスマートアンテナ装置３が接続されておらず、スマートアンテナ用第１コネクタ１１が短絡等していると判断し、スイッチ１８ａをＯＦＦするためのＯＦＦ信号をスイッチ１８ａに出力する。これにより、テレビジョン受信機１からスマートアンテナ装置３への電源の供給は停止されるため、ショートによる事故を防止することができる。
【００４９】
また、電源供給制御プログラム２４３ａは、例えば、電源供給部１７を制御して、八木アンテナ装置に対して、八木アンテナ装置を動作させるための電源を供給させる機能を、ＣＰＵ２４１に実現させる。
【００５０】
判断プログラム２４３ｂは、例えば、テレビジョン受信機１（スマートアンテナ用第１コネクタ１１）にスマートアンテナ装置３が接続されたか否かを判断する機能を、ＣＰＵ２４１に実現させる。
【００５１】
例えば、制御部２４とスマートアンテナ用第１コネクタ１１の第３ピン１１３とを接続する配線２１には、所定の抵抗２１ａを介して電圧印加部２０が接続されている。電圧印加部２０により印加された所定の電圧は、第３ピン１１３に印加されるようになっている。
電圧印加部２０により印加された所定の電圧は、第３ピン１１３がグランド接続されていない場合に、制御部２４に入力されるようになっている。
【００５２】
具体的には、ＣＰＵ２４１は、例えば、電圧印加部２０を制御して所定の電圧を印加させる。
そして、ＣＰＵ２４１は、例えば、ユーザによる操作部２３の操作によってチャンネルが選局されると、第３ピン１１３の電圧値を検出する。
このとき、スマートアンテナ用第１コネクタ１１がスマートアンテナ装置３の第１コネクタ３１に接続していると、第３ピン１１３は第３接続ピン３１３と接続してグランド３５に接続されるため、電圧印加部２０により印加された所定の電圧はグランド３５に入力される。したがって、第３ピン１１３の電圧値はグランドレベルとなり、電圧印加部２０により印加された所定の電圧は制御部２４には入力されない。この場合、ＣＰＵ２４１は、第３ピン１１３の電圧値はグランドレベルであると検出して、テレビジョン受信機１（スマートアンテナ用第１コネクタ１１）にスマートアンテナ装置３が接続されていると判断する。
一方、スマートアンテナ用第１コネクタ１１がスマートアンテナ装置３の第１コネクタ３１に接続していないと、第３ピン１１３は第３接続ピン３１３と接続せずグランド３５に接続されないため、電圧印加部２０により印加された所定の電圧はグランド３５に入力されない。したがって、第３ピン１１３の電圧値はグランドレベルにならず、電圧印加部２０により印加された所定の電圧は制御部２４に入力される。この場合、ＣＰＵ２４１は、第３ピン１１３の電圧値はグランドレベルでないと検出して、テレビジョン受信機１（スマートアンテナ用第１コネクタ１１）にスマートアンテナ装置３が接続されていないと判断する。
【００５３】
ＣＰＵ２４１は、かかる判断プログラム２４３ｂを実行することによって、検出手段として機能する。
また、スマートアンテナ用第１コネクタ１１にスマートアンテナ装置３が接続されたか否かを判断する判断手段は、電圧印加部２０と、判断プログラム２４３ｂを実行したＣＰＵ２４１と、などにより構成される。
【００５４】
切替制御プログラム２４３ｃは、例えば、判断プログラム２４３ｂを実行したＣＰＵ２４１により、スマートアンテナ用第１コネクタ１１にスマートアンテナ装置３が接続されたと判断された場合に、Ｆ／Ｅ１５を制御して、スマートアンテナ装置３に対して、スマートアンテナ３４の指向性を切り替えさせるためのスマートアンテナ制御信号を出力させるとともに、判断プログラム２４３ｂを実行したＣＰＵ２４１により、スマートアンテナ用第１コネクタ１１にスマートアンテナ装置３が接続されていないと判断された場合に、Ｆ／Ｅ１５を制御して、八木アンテナ装置に対して、八木アンテナ装置を制御するための制御信号を出力させる機能を、ＣＰＵ２４１に実現させる。
【００５５】
そして、スマートアンテナの指向性を切り替えさせるためのスマートアンテナ制御信号を出力させると、ＣＰＵ２４１は、例えば、スマートアンテナ３４の指向性が切り替わる度に、スマートアンテナ装置３から入力されるＴＶ放送信号を分析して、ユーザによって選局されたチャンネルに対応するＴＶ放送信号がスマートアンテナ３４により受信されているか否かを判断する。
スマートアンテナ３４の指向性が全方向に切り替わった後、ユーザによって選局されたチャンネルに対応するＴＶ放送信号がスマートアンテナ３４により受信されていると判断した方向があった場合、ＣＰＵ２４１は、Ｆ／Ｅ１５を制御して、スマートアンテナ用第１コネクタ１１に対して、当該方向にスマートアンテナ３４の指向性を設定するためのスマートアンテナ制御信号を出力させる。
一方、スマートアンテナ３４の指向性が全方向に切り替わった後、ユーザによって選局されたチャンネルに対応するＴＶ放送信号がスマートアンテナ３４により受信されていると判断した方向がなかった場合、ＣＰＵ２４１は、Ｆ／Ｅ１５を制御して、八木アンテナ用コネクタ１３に対して、八木アンテナ装置を制御するための制御信号を出力させる。
【００５６】
なお、ＣＰＵ２４１は、スマートアンテナ３４の指向性を全方向に切り替えた後、所定の方向にスマートアンテナ３４の指向性を設定するようにしたが、例えば、スマートアンテナ３４の指向性を全方向に切り替えている途中の、ユーザによって選局されたチャンネルに対応するＴＶ放送信号がスマートアンテナ３４により受信されていると判断した時点で、その時点での方向にスマートアンテナ３４の指向性を設定するようにしても良い。
【００５７】
＜スマートアンテナ装置制御処理＞
次に、テレビジョン受信機１によるスマートアンテナ装置３の制御に関する処理について図４のフローチャートを参照して説明する。
【００５８】
まず、ＣＰＵ２４１は、例えば、テレビジョン受信機１の電源がＯＮされると、電圧印加部２０を制御して、第３ピン１１３に対する所定の電圧の印加を開始させ、ユーザによる操作部２３の操作によってチャンネルが選局されたか否かを判断する（ステップＳ１）。
【００５９】
ステップＳ１で、ユーザによってチャンネルが選局されていないと判断すると（ステップＳ１；Ｎｏ）、ＣＰＵ２４１は、ステップＳ１の処理を繰り返して行う。
【００６０】
一方、ステップＳ１で、ユーザによってチャンネルが選局されたと判断すると（ステップＳ１；Ｙｅｓ）、ＣＰＵ２４１は、第３ピン１１３の電圧値がグランドレベルであるか否かを判断する（ステップＳ２）。
【００６１】
ステップＳ２で、第３ピン１１３の電圧値がグランドレベルでないと判断すると（ステップＳ２；Ｎｏ）、すなわち、電圧印加部２０によって印加された所定の電圧が制御部２４に入力されたと判断すると、ＣＰＵ２４１は、テレビジョン受信機１にスマートアンテナ装置３が接続されていないと判断して、Ｆ／Ｅ１５を制御して、八木アンテナ用コネクタ１３に対して、八木アンテナ装置を制御するための制御信号を出力させ（ステップＳ３）、ステップＳ１以降の処理を繰り返して行う。
【００６２】
一方、ステップＳ２で、第３ピン１１３の電圧値がグランドレベルであると判断すると（ステップＳ２；Ｙｅｓ）、すなわち、電圧印加部２０によって印加された所定の電圧が制御部２４に入力されていないと判断すると、ＣＰＵ２４１は、テレビジョン受信機１にスマートアンテナ装置３が接続されていると判断して、Ｆ／Ｅ１５を制御して、スマートアンテナ用第１コネクタ１１に対して、スマートアンテナ３４の指向性を切り替えるためのスマートアンテナ制御信号を出力させる（ステップＳ４）。
【００６３】
次いで、ＣＰＵ２４１は、スマートアンテナ３４の指向性が全方向（１６方向）に切り替わったか否かを判断する（ステップＳ５）。
【００６４】
ステップＳ５で、スマートアンテナ３４の指向性が全方向に切り替わっていないと判断すると（ステップＳ５；Ｎｏ）、ＣＰＵ２４１は、ステップＳ５の処理を繰り返して行う。
【００６５】
一方、ステップＳ５で、スマートアンテナ３４の指向性が全方向に切り替わったと判断すると（ステップＳ５；Ｙｅｓ）、ＣＰＵ２４１は、ユーザによって選局されたチャンネルに対応するＴＶ放送信号がスマートアンテナ３４により受信されていると判断した方向があったか否かを判断する（ステップＳ６）。
【００６６】
ステップＳ６で、ユーザによって選局されたチャンネルに対応するＴＶ放送信号がスマートアンテナ３４により受信されていると判断した方向がなかったと判断すると（ステップＳ６；Ｎｏ）、ＣＰＵ２４１は、ステップＳ３の処理に移行する。
【００６７】
一方、ステップＳ６で、ユーザによって選局されたチャンネルに対応するＴＶ放送信号がスマートアンテナ３４により受信されていると判断した方向があったと判断すると（ステップＳ６；Ｙｅｓ）、ＣＰＵ２４１は、Ｆ／Ｅ１５を制御して、スマートアンテナ用第１コネクタ１１に対して、ユーザによって選局されたチャンネルに対応するＴＶ放送信号がスマートアンテナ３４により受信されていると判断した方向にスマートアンテナ３４の指向性を設定するためのスマートアンテナ制御信号を出力させ（ステップＳ７）、ステップＳ１以降の処理を繰り返して行う。
【００６８】
以上説明した本発明のテレビジョン受信機１によれば、スマートアンテナ装置３を接続するスマートアンテナ用第１コネクタ１１と、電圧印加部２０によってスマートアンテナ用第１コネクタ１１が有する第３ピン１１３に所定の電圧が印加された際に第３ピン１１３の電圧値を検出することによって、スマートアンテナ用第１コネクタ１１にスマートアンテナ装置３が接続されたか否かを判断する判断プログラム２４３ｂを実行したＣＰＵ２４１と、スマートアンテナ用第１コネクタ１１にスマートアンテナ装置３が接続されたと判断された場合に、スマートアンテナ装置３にスマートアンテナ３４の指向性を切り替えさせる切替制御プログラム２４３ｃを実行したＣＰＵ２４１と、を備えている。そして、第３ピン１１３は、スマートアンテナ用第１コネクタ１１にスマートアンテナ装置３が接続された場合に、電圧値がグランドレベルとなるように構成され、判断プログラム２４３ｂを実行したＣＰＵ２４１は、第３ピン１１３の電圧値としてグランドレベルの電圧値が検出された場合に、スマートアンテナ用第１コネクタ１１に多指向性アンテナ装置３が接続されたと判断するようになっている。
したがって、第３ピン１１３に所定の電圧を印加してその第３ピン１１３の電圧値を検出するだけで、テレビジョン受信機１にスマートアンテナ装置３が接続されたか否かを検出することができるため、スマートアンテナ３４を有するスマートアンテナ装置３の構成を変えることなく、スマートアンテナ装置３が接続されているか否かを検出することができる。
【００６９】
なお、本発明は、上記した実施の形態のものに限るものではなく、その要旨を逸脱しない範囲で適宜変更可能である。
【００７０】
テレビジョン受信機１は、スマートアンテナ装置３と接続可能に構成されていれば、例えば、セットトップボックス（ＳＴＢ）等を構成するテレビジョン受信機であっても良いし、出力装置５などと一体となってテレビを構成するテレビジョン受信機であっても良い。
【００７１】
テレビジョン受信機１（スマートアンテナ用第１コネクタ１１）にスマートアンテナ装置３が接続された場合に、第３ピン１１３を、スマートアンテナ装置３側のグランド３５に接続させることによって、第３ピン１１３の電圧値がグランドレベルとなるように構成したが、これに限ることはなく、例えば、テレビジョン受信機１にスマートアンテナ装置３が接続された場合に、第３ピン１１３を、テレビジョン受信機１側のグランド２４に接続させることによって、第３ピン１１３の電圧値がグランドレベルとなるように構成しても良い。
【００７２】
テレビジョン受信機１の電源がＯＮされると、電圧印加部２０による所定の電圧の印加を開始させるようにしたが、ユーザによってチャンネルが選局されて第３ピン１１３の電圧値がグランドレベルであるか否かを判断するときのみ、電圧印加部２０により所定の電圧を印加させるようにしても良い。
【００７３】
第２ピン１１２にスマートアンテナ装置３用の電源が入力され、第３ピン１１３に所定の電圧が印加され、第５ピン１１５にスマートアンテナ制御信号が入力されるようにしたが、スマートアンテナ装置３用の電源が入力されるピン、所定の電圧が印加されるピン及びスマートアンテナ制御信号が入力されるピンは、スマートアンテナ用第１コネクタ１１が備えるピンのうちの何れかであれば任意である。
また、スマートアンテナ装置３用の電源が入力されるピン、所定の電圧が印加されるピン及びスマートアンテナ制御信号が入力されるピンを備えていれば、スマートアンテナ用第１コネクタ１１が備えるピンの個数は６つに限ることはなく、任意である。
無論、グランド２５に接続されるピンは、スマートアンテナ用第１コネクタ１１が備えるピンのうちの、スマートアンテナ装置３用の電源が入力されるピン、所定の電圧が印加されるピン及びスマートアンテナ制御信号が入力されるピン以外のピンとなる。
また、スマートアンテナ用第１コネクタ１１が備えるスマートアンテナ装置３用の電源が入力されるピン、所定の電圧が印加されるピン及びスマートアンテナ制御信号が入力されるピン以外のピンの位置に応じて、第１コネクタ３１が備えるスマートアンテナ装置３用の電源が入力される接続ピン、所定の電圧が印加される接続ピン、スマートアンテナ制御信号が入力される接続ピン、グランド３５に接続される接続ピンの位置は適宜変更可能である。
【図面の簡単な説明】
【００７４】
【図１】本発明のテレビジョン受信機の機能的構成を示すブロック図である。
【図２】本発明のテレビジョン受信機が備えるスマートアンテナ用第１コネクタを説明するための回路図である。
【図３】本発明のテレビジョン受信機が接続するスマートアンテナ装置が有するスマートアンテナの指向性の方向を説明するための図である。
【図４】本発明のテレビジョン受信機によるスマートアンテナ装置の制御に関する処理を説明するためのフローチャートである。
【符号の説明】
【００７５】
１  テレビジョン受信機
３  スマートアンテナ装置（多指向性アンテナ装置）
１１  スマートアンテナ用第１コネクタ（コネクタ）
２０  電圧印加部（判断手段（電圧印加手段））
３４  スマートアンテナ（多指向性アンテナ）
１１３  第３ピン（所定のピン）
２４１  ＣＰＵ（判断手段（検出手段）、切替制御手段）
２４３ｂ  判断プログラム（判断手段（検出手段）、切替制御手段）
【図１】
0004697218.tif 000002
【図２】
0004697218.tif 000003
【図３】
0004697218.tif 000004
【図４】
0004697218.tif 000005